(57)【特許請求の範囲】
【請求項１】
円周面（ａ）を有する被取着部材（Ａ）に着脱自在に外嵌されると共に該被取着部材（Ａ）が突入する開口部（１ａ）が形成されているＣ字状の第１挟枠部（１Ａ）と第２挟枠部（１Ｂ）とを有し、該第１挟枠部（１Ａ）と該第２挟枠部（１Ｂ）とを上記開口部（１ａ）近傍で上記被取着部材（Ａ）の軸心（Ｌ）方向に連結する連結部（１Ｃ）を有する挟部材（１）を備え、
該挟部材（１）を軸心（Ｌ）方向に複数配設し、隣合う上記挟部材（１）（１）の第１挟枠部（１Ａ）と第２挟枠部（１Ｂ）とを連結する連結短杆（２）を具備し、
上記挟部材（１）は、上方に突出する第１針部（11）と、斜上方に突出する第２針部（12）と、側方に突出する第３針部（13）と、斜下方に突出する第４針部（14）と、を有することを特徴とする小動物接近防止装置。
【請求項２】
上記開口部（１ａ）近傍に設けた上記第４針部（14）に、変形を規制する補強リブ（20）を設け、
上記補強リブ（20）は、上記開口部（１ａ）に段差無しで連続して上記被取着部材（Ａ）を誘導するガイド縁（20ａ）を上記開口部（１ａ）の近傍に形成している請求項１記載の小動物接近防止装置。
【請求項３】
上記第１針部（11）は、段付面（11ａ）を有する段付突出形状に形成されている請求項１又は２記載の小動物接近防止装置。
【請求項４】
上記挟部材（１）は、開口部（１ａ）から下方へ突出する一対の突片（10）（10）を有し、
該突片（10）に、上記開口部（１ａ）方向へ上記被取着部材（Ａ）を誘導する勾配縁（10ａ）が形成されている請求項１，２又は３記載の小動物接近防止装置。
【請求項５】
連結される複数の上記挟部材（１）に、脱落防止部材（30）を着脱可能な接続部（40）を、上記開口部（１ａ）近傍に設けていることを特徴とする請求項１，２，３又は４記載の小動物接近防止装置。
【発明の詳細な説明】
【技術分野】
【０００１】
本発明は、小動物接近防止装置に関する。
【背景技術】
【０００２】
従来、小動物の接近を防止する装置として、特許文献１記載のように、センサによって小動物を感知し、発光や超音波等の発信によって小動物を忌避するものがあった。
また、特許文献２記載のように、太陽光を反射する反射板を風によって揺らすことで乱反射させ、小動物を警戒させて接近を防止するものが知られている。また、薬品を散布することで小動物の接近を防止する装置が知られている。
【特許文献１】特開２００６−８１４４１号公報
【特許文献２】特開平８ー２７５７１１号公報
【発明の開示】
【発明が解決しようとする課題】
【０００３】
しかし、建築現場等の足場用仮設構造物や、建築物の手摺りや配管部近傍、アンテナ等の野外の高所に超音波発生装置を設置するには多大な費用や手間（保守・点検）が発生するという問題があった。また、光の乱反射を利用するものは、時間帯（夜間）や気候（雨天や無風等）によって効果に差があるという問題があった。また、薬品の散布は、人体への影響や取り扱いが難しいという問題があった。
【０００４】
そこで、本発明は、既設の配管や建築構造物等の被取着部材に容易かつ迅速に着脱自在に取着され、小動物の接近を防止可能な小動物接近防止装置の提供を目的とする。
【課題を解決するための手段】
【０００５】
本発明に係る小動物接近防止装置は、円周面を有する被取着部材に着脱自在に外嵌されると共に該被取着部材が突入する開口部が形成されているＣ字状の第１挟枠部と第２挟枠部とを有し、該第１挟枠部と該第２挟枠部とを上記開口部近傍で上記被取着部材の軸心方向に連結する連結部を有する挟部材を備え、該挟部材を軸心方向に複数配設し、隣合う上記挟部材の第１挟枠部と第２挟枠部とを連結する連結短杆を具備し、上記挟部材は、上方に突出する第１針部と、斜上方に突出する第２針部と、側方に突出する第３針部と、斜下方に突出する第４針部と、を有するものである。
【０００６】
また、上記開口部近傍に設けた上記第４針部に、変形を規制する補強リブを設け、上記補強リブは、上記開口部に段差無しで連続して上記被取着部材を誘導するガイド縁を上記開口部の近傍に形成しているものである。
【０００７】
また、上記第１針部は、段付面を有する段付突出形状に形成されているものである。
【０００８】
また、上記挟部材は、開口部から下方へ突出する一対の突片を有し、該突片に、上記開口部方向へ上記被取着部材を誘導する勾配縁が形成されているものである。
【０００９】
また、連結される複数の上記挟部材に、脱落防止部材を着脱可能な接続部を、上記開口部近傍に設けているものである。
【発明の効果】
【００１０】
本発明によれば、現場にて被取着部材に容易かつ迅速に取着（設置）できる。被取着部材を抱き込むようなＣ字状に形成しているので、被取着部材から脱落するのを防止できる。被取着部材が捻転や湾曲・屈曲しているようなものであっても取着できる。時間帯や天候に関係なく小動物が接近するのを防止できる。電源の確保や保守・点検等の手間をかけずに小動物の接近を防止できる。
【発明を実施するための最良の形態】
【００１１】
以下、実施の形態を示す図面に基づき本発明を詳説する。
図１は本発明の小動物接近防止装置の実施の一形態を示す斜視図である。図２は正面図である。
【００１２】
先ず、本発明の小動物接近防止装置（以下、本装置ともいう）が取着される被取着部材Ａは、円周面ａを有する建築構造物やパイプ、ケーブル、フレキシブルホース等であって、ベランダの手摺りや、建築現場の足場等の仮設構造物、配管用パイプやホース等に使用されるものである。
小動物とは、例えば、鳩やネズミ・猫・イタチ・狸等であって、高所のパイプやケーブルにとまって、地上へ糞害をもたらす鳥類や、ケーブルやホース等を齧る齧歯類、金属製の部材を腐蝕させる尿害をもたらす哺乳類等である。
例えば、本装置は、ベランダの手摺りに取着して鳩の糞害を防止するものである。
【００１３】
次に、本発明の説明を容易にするために、被取着部材Ａの軸心Ｌが水平状態かつ、被取着部材Ａが捩じれたり湾曲や屈曲していない直線状の際を、被取着部材Ａの自然姿勢とし、自然姿勢の被取着部材Ａの軸心Ｌ方向と本装置の長手方向とを一致させ、被取着部材Ａの上方から軸心Ｌに連結短杆２を平行にして本装置を取着しようとする際の姿勢を基準姿勢として、基準姿勢での方向で説明する。また、軸心Ｌ方向を前後方向とする。
【００１４】
図１と図２に於て、本発明の小動物接近防止装置（本装置）は、被取着部材Ａに着脱自在に外嵌されるＣ字クリップ状の樹脂製の挟部材１を複数備え、複数の挟部材１を軸心Ｌ方向（前後方向）に配設し、挟部材１を捻じり変形及び湾曲乃至屈曲変形可能な樹脂製の連結短杆２で連結したものである。また、樹脂成形で一体成形可能なものである。また、前後方向に隣合う挟部材１と挟部材１の間の連結短杆２、はニッパー等の工具で容易に切断可能に成形されている。つまり、本装置は、所望の長さに切断可能なものである。
【００１５】
挟部材１は、被取着部材Ａに着脱自在に外嵌されると共に被取着部材Ａが突入する開口部１ａが形成されているＣ字状の第１挟枠部１Ａと第２挟枠部１Ｂとを有している。また、第１挟枠部１Ａと第２挟枠部１Ｂとを軸心Ｌ方向（前後方向）に所定の間隔寸法Ｗをもって配設している。第１挟枠部１Ａと第２挟枠部１Ｂとを同心状に連結する連結部１Ｃを有している。言い換えると、挟部材１は、第１挟枠部１Ａと第２挟枠部１Ｂとが同心状に連結部１Ｃで連結されている。
【００１６】
連結短杆２は、隣合う挟部材１，１の第１挟枠部１Ａと第２挟枠部１Ｂとを連結している。言い換えると、連結短杆２は、隣合う挟部材１，１の内の、一方の挟部材１の第２挟枠部１Ｂと他方の挟部材１の第１挟枠部１Ａとの上方側を連結している。また、連結短杆２の長手方向（軸心Ｌ方向）の長さ寸法Ｓは、１つの挟部材１の第１挟枠部１Ａと第２挟枠部１Ｂとの上方側の間隔寸法Ｗよりも小さく形成されている。また、捻じり変形及び湾曲乃至屈曲変形可能な柔軟な樹脂製であって、挟部材１と一体成形されている。
【００１７】
また、挟部材１のＣ字の内周円弧の曲率半径Ｒは、被取着部材Ａの外周円弧の外周半径ｒ（円周面ａの外周曲率半径）よりも僅かに小さく設定されている。つまり、挟部材１は、弾性力によって、被取着部材Ａを挟んで取着する（挟持する）ものである。
【００１８】
さらに、挟部材１は、開口部１ａ近傍から垂下状に突出する左右一対の突片10，10と、挟部材１の第１挟枠部１Ａの上方側（上部）から垂直状に突出する段付の円錐状の第１針部11と、挟部材１の第２挟枠部１Ｂから斜上方に突出する円錐状の第２針部12と、挟部材１の第１挟枠部１Ａから左右水平状に突出する円錐状の第３針部13と、挟部材１の開口部１ａ近傍の連結部１Ｃから斜下方に突出する円錐状の第４針部14と、を有している。
【００１９】
第１・２・３・４針部11，12，13，14（複数の針部）は、軸心Ｌ方向から見て（図２参照）、挟部材１に、放射状に配設されている。また、上方から見て（平面視）、第２針部12と第３針部13と第４針部14とは、重ならないように設けられている。つまり、第２針部12と第３針部13と第４針部14とは、前後方向に所定の間隔をもって（前後方向に異なる位置から）突出している。また、第１・２・３・４針部11，12，13，14の頂部は、湾曲状の丸形状に形成されている。
【００２０】
第１針部11は、第１挟枠部１Ａの上方側の頂上部から垂直状に突出する円錐状である。また、第１針部11は、段付面11ａを有する段付突出状に形成されている。また、第１針部11は、下方開口状の収納空洞部11ｂを内部に形成している。収納空洞部11ｂの下方開口部は、段付面11ａよりも小さく形成されている。
【００２１】
第２針部12は、第２挟枠部１Ｂから斜上方に左右一対に設けられている。また、基端部近傍（第２挟枠部１Ｂとの交差部）に、下方から第２針部12の傾倒状の変形を規制する支持リブ12ａを設けている。支持リブ12ａは、第２挟枠部１Ｂから左右方向に膨出状に設けら、下方から第２針部12を支持するものである。
【００２２】
第３針部13は、左右方向に水平状に設けられている。また、第１挟枠部１Ａから左右一対に設けられている。
【００２３】
第４針部14は、第１挟枠部１Ａと第２挟枠部１Ｂとを連結する連結部１Ｃ近傍から下方傾斜状に突設されている。第４針部14は、変形を規制する補強リブ20を下方突出状に設けている。言い換えると、補強リブ20は第４針部14の下方に沿って突設されている。
補強リブ20は、開口部１ａに段差無しに連続するガイド縁20ａを開口部１ａの近傍に形成している。ガイド縁20ａは、被取着部材Ａの円周面ａに摺動して、被取着部材Ａを開口部１ａ方向に誘導し挟部材１の内部に突入させると共に、挟部材１を上方から押し付けることで開口部１ａを左右方向に拡大開口させるように形成されている。
【００２４】
突片10は、開口部１ａに沿って左右一対に下方突出状に形成されている。左右一対の突片10，10の下方には各々に外方拡大状の勾配縁10ａが形成されている。
勾配縁10ａは、開口部１ａに段差無しで連続するように形成されている。また、被取着部材Ａの円周面ａに摺動して、被取着部材Ａを開口部１ａから挟部材１の内部に突入するように誘導すると共に、挟部材１を上方から押し付けることで開口部１ａを左右方向に拡大開口させるように形成されている。また、第４針部14のガイド縁20ａを挟むように前後位置に形成されている。つまり、挟部材１が斜上方から被取着部材Ａに取着される際に、ガイド縁20ａよりも先に、円周面ａに接触し、摺動して開口部１ａを左右方向に拡大するように形成されている。
【００２５】
次に、被取着部材Ａからの脱落を防止する脱落防止部材30及び脱落防止部材30が接続される接続部40について説明する。
図３は、脱落防止部材30の使用状態を示す下方側から見た斜視図である。
連結される複数の挟部材１に、被取着部材Ａの下方を通過する脱落防止部材30を着脱可能な接続部40を設けている。実施の一形態では、各挟部材１に１つずつに設けている。尚、接続部40は、連結される複数の挟部材１の所定数毎に設けても良い。
【００２６】
接続部40は、開口部１ａの近傍かつ第４針部14から上下方向に膨出状に設けられた、円筒形状であって、脱落防止部材30の一部を挿入乃至挿通させ取着可能な上下方向に貫通する孔部40ａを有している。
【００２７】
脱落防止部材30は、被取着部材Ａの下方を渡って、挟部材１を左右方向に連結することで、開口部１ａが上方を向くような脱落方向になると共に脱落方向への力（荷重）がかかるような際でも本装置の脱落を防止するものである。また、脱落防止部材30は、取着状態で被取着部材Ａの下方に配設されるものであって、接続部40の孔部40ａに挿通して取着される紐状部材から成る。尚、他の実施の一例の脱落防止部材として、孔部40ａに挿入乃至挿通して取着可能な鉤部を有する帯板状のバンド部材としても良い。また、梱包の際に専用の空間を必要とせず収納可能な細く薄い形状が好ましい。
【００２８】
上述した本発明の小動物接近防止装置の作用（使用方法）について説明する。
図２に於て、被取着部材Ａに連結短杆２を軸心Ｌと平行かつ長手方向を一致させて上方から押し込むように取着する際に、挟部材１を上方から押し込むと、突片10の勾配縁10ａ及び第４針部14の補強リブ20に形成されたガイド縁20ａが、被取着部材Ａをスムーズに開口部１ａ近傍に案内（ガイド）する。さらに、挟部材１を押し込むと、勾配縁10ａ及びガイド縁20ａが円周面ａに摺動し、挟部材１の開口部１ａが自ら開口するように拡大する。挟部材１は弾性変形し、被取着部材Ａに抱き込み状に取着される（被取着部材Ａを挟持する）。挟部材１は被取着部材Ａに外嵌する。挟部材１の複数の針部（第１・２・３・４針部11，12，13，14）は、被取着部材Ａの周囲に放射状に配設され、被取着部材Ａへの小動物の接近を防止する。
【００２９】
図３に於て、接続部40に脱落防止部材30を取着した際は、脱落防止部材30は被取着部材Ａの下方を渡って、挟部材１を左右方向に連結する。開口部１ａが上方を向くような脱落方向に取着した際や、脱落方向への力（荷重）がかかるような際でも脱落防止部材30が本装置を被取着部材Ａから脱落するのを防止する。また、図示省略するが、基準姿勢で下方突出状となる増設針部を有する脱落防止部材を取着すれば、下方からの小動物の接近を防止する。
【００３０】
図４に於て、上下方向に複数積み重ねられる収納状態（又は梱包状態）の際に、下方の挟部材１の第１針部11の頂部は、上方に配設される別の挟部材１の第１針部11の収納空洞部11ｂに挿入される。下方の挟部材１の段付面11ａが上方の挟部材１の内周円弧に当接して、第１針部11の段付面11ａより基端側部が収納空洞部11ｂに入り込むのを規制する。また、第１針部11の頂部近傍の先端面と収納空洞部11ｂの内周面との間に間隙部を形成する。第１針部11の円錐状の先端テーパー部が収納空洞部11ｂの内壁にくさび状に面接触するのを防止する。つまり、下方の挟部材１の第１針部11が上方の挟部材１の収納空洞部11ｂに食い込むように挿入されるのを防止する。即ち、梱包から取り出す際に、収納空洞部11ｂから第１針部11が容易に分離される。
【００３１】
また、段付面11ａに、上方の挟部材１が当接することで、上方の本装置と下方の本装置が上下方向に所定の間隔をもって、積み重ねられる。上方の挟部材１の突片10及びガイド縁20ａは、下方の第１挟枠部１Ａと第２挟枠部１Ｂとの間に挿入乃至挿通される。また、第２針部12と第３針部13と第４針部14は、前後方向に離れた（異なる）位置から各々突出しているので、相互に干渉させず上下方向にコンパクトに積み重ねられる。例えば、第２針部12と第３針部13及び第４針部14が前後方向の同位置から突設されたとすると、上下に積み重ねた際に、上方の本装置の第３針部13及び第４針部14に下方の本装置の第２針部12が干渉し、上下にコンパクトに積み重ねるのが困難となる。つまり、本装置は、斜下方に突出する（下方傾斜状の）第４針部14を有しながらも（複数の針部を放射状に有しながらも）、上下にコンパクトに積み重ねて収納される。
【００３２】
また、上下方向に積み重ねられた際に、最も下方に配設される本装置の複数の挟部材１の各第４針部14が脚部となって上方に配設される複数の本装置の荷重を支持する。左右一対に下方傾斜状に突出した第４針部14は、積み重ねられた本装置が倒れたり横転するのを防止し、安定した状態を保持する。
【００３３】
また、第４針部14に形成された補強リブ20によって、上方からかかる荷重を第４針部14が受ける際に、左右一対の第４針部14が左右方向に広がり変形するのを防止する。言い換えると、最下段（最下方）の本装置が押し潰れるように変形するのを防止する。開口部１ａが拡大開口状に塑性変形するのを防止する。
【００３４】
図５に於て、挟部材１が被取着部材Ａに対して斜め上方から取着する際は、挟部材１を被取着部材Ａの斜め上方から当てる。すると、被取着部材Ａに接近する勾配縁10ａが、ガイド縁20ａよりも先に円周面ａに接触する。勾配縁10ａは、開口部１ａを開かせながら円周面ａを摺動する。また、連結短杆２は、湾曲乃至屈曲又は捩れ変形し、近傍の別の挟部材１との干渉を避けながら挟部材１を外嵌させる。つまり、本装置は、こじれたり引っ掛かるような抵抗を受けず、軸心Ｌに対して連結短杆２が平行状となるように案内されスムーズに取着される。
【００３５】
図６に於て、被取着部材Ａの外周半径ｒが挟部材１の曲率半径Ｒよりも大きく差のあるもの（大径の被取着部材Ａ）、であっても、挟部材１の開口部１ａは大きく柔軟に弾性変形し、被取着部材Ａの円周面ａを覆うように取着する。挟部材１は、被取着部材Ａの円周面ａに沿って湾曲変形し挟持する。つまり、本装置は、被取着部材Ａの外周半径ｒが一定でないものや挟部材１の曲率半径Ｒよりも大きなものであっても取着される。例えば、テーパー形状のものや楕円形状のものであっても取着される。即ち、本装置は、外周半径ｒの異なる様々な被取着部材Ａに取着され、小動物の接近を防止する。
【００３６】
図７に於て、湾曲部や屈曲部を形成した被取着部材Ａであっても、被取着部材Ａを挟持するＣ字状の第１挟枠部１Ａと第２挟枠部１Ｂとは、連結部１Ｃのみで連結されているため、挟部材１の第１挟枠部１Ａと第２挟枠部１Ｂとの上方側の間隔が自由に接近又は離間して、湾曲部や屈曲部に沿うように取着される。言い換えると、間隔寸法Ｗは弾性変形によて伸縮変化する。
また、隣合う挟部材１同士の間は、捩じれ変形や屈曲・湾曲変形可能な連結短杆２で１箇所のみで連結されているので、弾性変形の範囲内で、蛇腹状に自由に伸縮・湾曲・屈曲し、ループ状の被取着部材Ａや、屈曲乃至湾曲状の被取着部材Ａに外嵌して外方からの小動物の接近を防止する。
【００３７】
また、被取着部材Ａがホースやフレキシブルパイプのようなものであって、本装置を取着後に湾曲乃至屈曲変形しても、挟部材１は被取着部材Ａに外嵌した状態で変形に追従する。連結短杆２は被取着部材Ａの変形に柔軟に対応する。また、被取着部材Ａが捩じれた（捻転した）ように変形しても、本装置は被取着部材Ａの捩じれに追従するように捩じれ変形する。
【００３８】
また、軸心Ｌが水平状の被取着部材Ａに取着された際に、複数の針部が被取着部材Ａの周囲に放射状に配置しているので、軸心Ｌ廻りに被取着部材Ａが回転し、複数の針部の左右一方側が回転方向に傾倒するような際であっても（傾倒状となっても）、複数の針部の左右の他方側が起立して（起立状となって）、左右方向や斜上方向及び上方向からの小動物の接近を防止する。
また、被取着部材Ａに対して空回りするように本装置が回転したとしても、複数の針部の何れかが小動物の接近を防止する。
【００３９】
また、本装置を、天地が反対になるように（上下逆さまに）外嵌した際は、（基準姿勢で下傾斜状の）第４針部14が上方傾斜状となって、小動物の上方からの接近を防止する。また、（基準姿勢で上方に突出する）第１針部11が下方突出状となって、下方からの小動物の接近を防止する。
【００４０】
また、軸心Ｌが鉛直状（又は起立状）の被取着部材Ａに外嵌した際は、複数の針部（第１・２・３・４針部11，12，13，14）が水平状（又は、軸心Ｌに直交する平面に平行）となって、被取着部材Ａの外方から小動物が接近するのを防止する。
【００４１】
なお、本発明は、設計変更可能であって、例えば、第１針部11は、第２挟枠部１Ｂの上部（上方側）に設けても良い。また、第２針部12を第１挟枠部１Ａに設け、第３針部13を第２挟枠部１Ｂに設けても良い。また、連結短杆２は、湾曲乃至屈曲した被取着部材Ａに沿うように本装置が変形可能であれば、上述した上方側（上部）で連結する以外にも、側方側等で連結しても良い。また、挟部材１から垂下状に突出する下方突出状の第５針部を設けても良い。また、第１・２・３・４針部11，12，13，14の形状は角錐形状等、小動物の接近を防止可能な形状であれば良い。また、接続部40の外形状は、上下方向に貫通する孔部40ａを有していれば円筒形状に限らず自由である。
また、図８に示すように、別の実施の形態として、第２針部12を、第２挟枠部１Ｂから左右一対に設けず、第１挟枠部１Ａと第２挟枠部１Ｂとに１本ずつ分けて設けても良い。また、第３針部13を、第１挟枠部１Ａから左右一対に設けず、第１挟枠部１Ａと第２挟枠部１Ｂとに１本ずつ分けて設けても良い。また、上下に本装置を積み重ねた収納状態で、上下の装置の針部が相互に干渉しないように突設している。
【００４２】
また、使用方法の他の実施例として、保護すべきものが制御盤や食料庫等であって、その周囲を囲う柵等に取着（装着）することで、小動物の接近を防止する効果を向上させるものとして使用しても良い。
【００４３】
以上のように、本発明は、円周面ａを有する被取着部材Ａに着脱自在に外嵌されると共に被取着部材Ａが突入する開口部１ａが形成されているＣ字状の第１挟枠部１Ａと第２挟枠部１Ｂとを有し、第１挟枠部１Ａと第２挟枠部１Ｂとを開口部１ａ近傍で被取着部材Ａの軸心Ｌ方向に連結する連結部１Ｃを有する挟部材１を備え、挟部材１を軸心Ｌ方向に複数配設し、隣合う挟部材１，１の第１挟枠部１Ａと第２挟枠部１Ｂとを連結する連結短杆２を具備し、挟部材１は、上方に突出する第１針部11と、斜上方に突出する第２針部12と、側方に突出する第３針部13と、斜下方に突出する第４針部14と、を有するので、被取着部材Ａに容易かつ迅速に取着できる。また、円周面ａを第１・２挟枠部１Ａ，１Ｂが弾性変形によって抱き込み状に取着するので、脱落するのを防止できる。小動物の接近を防止する複数の針部（第１・２・３・４針部11，12，13，14）を放射状に設けているので、様々な方向からの小動物の接近を防止できる。また、被取着部材Ａが湾曲・屈曲変形したものであっても、多数の針部で確実に小動物が接近するのを防止できる。外周半径ｒの異なる様々な被取着部材Ａに取着でき、小動物が接近するのを防止できる。被取着部材Ａのサイズ（大きさ）を確認してから本装置を用意する必要がなく、迅速に施工（取着）できる。時間帯や天候に関係なく小動物が接近するのを防止できる。電源の確保や保守・点検等の手間をかけずに小動物の接近を防止できる。薬品を使用せずに小動物の接近を防止できる。
【００４４】
また、開口部１ａの近傍に設けた第４針部14に、変形を規制する補強リブ20を設け、補強リブ20は、開口部１ａに段差無しで連続して被取着部材Ａを誘導するガイド縁20ａを開口部１ａの近傍に形成しているので、被取着部材Ａの円周面ａに、ガイド縁20ａが摺接して、被取着部材Ａにスムーズに取着できる。また、開口部１ａを円周面ａに沿うように開口させることができる。つまり、挟部材１を被取着部材Ａ方向に押し込むようにすることで、挟部材１は自ら開口部１ａが開いて僅かな力で容易に取着できる。また、収納状態で上下に積み重ねても、斜下方に突出する第４針部14を脚部として使用でき、転がるようなことがなく安定して収納（梱包）できる。また、収納状態で上方からの荷重によって第４針部14が押し広げられて変形するのを防止できる。
【００４５】
また、第１針部11は、段付面11ａを有する段付突出形状に形成されているので、第１針部11を、収納空洞部11ｂに挿入しても、段付面11ａが内周面に当接して、所定の長さ以上挿入されるのを防止する。つまり、第１針部11が収納空洞部11ｂにくさび状に入り込んで面接触し、上下に収納した２つの小動物接近防止装置同士が喰い付くように収納されるのを防止する。つまり、梱包状態から取り出す際に、小動物接近防止装置を１つずつ容易に取り出せる。また、上下方向に所定の間隔をもって収納できる。また、第１針部11を収納（梱包）の積み重ね作業の際に位置決め基準部とすることができる。つまり、容易に整列させて積み重ねることができる。
【００４６】
また、挟部材１は、開口部１ａから下方へ突出する一対の突片10，10を有し、突片10に、開口部１ａ方向へ被取着部材Ａを誘導する勾配縁10ａが形成されているので、連結されている複数の挟部材１を１つずつ被取着部材Ａに取着できる。被取着部材Ａの斜め上方向からであっても開口部１ａをスムーズに開口させてこじれることなく容易に取着できる。
【００４７】
また、連結される複数の挟部材１に、脱落防止部材30を着脱可能な接続部40を、上記開口部１ａ近傍に設けているので、脱落をより確実に防止できる脱落防止部材30を取着できる。針部を増設するような追加部材（針部増設部材）を取着できる。
【図面の簡単な説明】
【００４８】
【図１】本発明の小動物接近防止装置の実施の一形態を示す斜視図である。
【図２】本発明の小動物接近防止装置の実施の一形態を示す正面図である。
【図３】脱落防止部材の実施一例の使用状態を示す斜視図である。
【図４】収納状態を示す正面図である。
【図５】斜上方から取着する際の要部拡大斜視図である。
【図６】大径の被取着部材に取着した状態を示す要部斜視図である。
【図７】湾曲・屈曲した被取着部材に取着した状態を示す斜視図である。
【図８】別の実施の形態を示す斜視図である。
【符号の説明】
【００４９】
１  挟部材
１Ａ  第１挟枠部
１Ｂ  第２挟枠部
１Ｃ  連結部
１ａ  開口部
２  連結短杆
10  突片
10ａ  勾配縁
11  第１針部
12  第２針部
13  第３針部
14  第４針部
20  補強リブ
20ａ  ガイド縁
30  脱落防止部材
40  接続部
Ａ  被取着部材
ａ  円周面
Ｌ  軸心
Ｒ  曲率半径
【図１】
0004722957.tif 000002
【図２】
0004722957.tif 000003
【図３】
0004722957.tif 000004
【図４】
0004722957.tif 000005
【図５】
0004722957.tif 000006
【図６】
0004722957.tif 000007
【図７】
0004722957.tif 000008
【図８】
0004722957.tif 000009